(57)【要約】      （修正有）【課題】同系で複数のアンカーボルト締め付け具があると、その、混合、種わけ、管理の困難を解消する締め付け具を提供する。【解決手段】太さ１．４ミリ前後で鋼鉄化された金属棒の両端の双方に、横鉄筋１６ミリの上部から押し下げて引っかかる太さのフックを備え、双方のフック手前の中間部より一方のフックに約７ミリ、対する側のフックに約３ミリの長さで双方が水平かつ平行に近い形で前後のはばが調整され、双方７ミリと３ミリの先行と角度は双方とも約１２０度の角度で、双方のフックが向かい合う方向で長さは約３５ミリで双方のフックを引っ掛けた横鉄筋の中間上部に向き、ゆるやかな曲がりで双方の先端がへの字に近い形で連結され、ゆるやかな曲がりは、一方のフックを横鉄筋１０ミリ〜１６ミリの太さに引っかけ、７ミリの調整側ゆるやかな曲がり部分に１６ミリのアンカーボルトを押し当てた時に３ミリ調整側のフックが横鉄筋に締め付けて引っかける事が可能である。【選択図】図１
0003166652.tif 000002
【実用新案登録請求の範囲】
【請求項１】
太さ１．４ミリ前後の金属棒を、図一のＨ、アンカーボルト１６ミリ、の、円周下部から２２５°の角度となる形で、その先端を下面とし、図一の１、１６ミリ、アンカー側フックである、残る一方を下向き約７ミリ伸ばし、約１２０°で、右曲がり、図一の２フック下の角である、したがってフックは左前向きの斜体である、さらに、図一の３、１６ミリ、アンカーボルト受け部である、その形状は、図一のＥ１０ミリ鉄筋に１６ミリ、アンカーボルトを押し当てた状態、で図２に示す１０ミリ鉄筋にフックを掛けて使用した状態の曲がりで、本考案の巾、約７センチのうち、４．５センチの位置で、前記図一の１、５の両フックの円形の中心の位置であり、図一のＡ、１０ミリ鉄筋の上に重なる角度でもある、が、アンカーボルトを締め付けるまでの、手段である、でわ１２ミリ、アンカーボルトの締め付け側の説明をする、図一の５、１２ミリ、アンカー側フックは、図一の１、１６ミリ、アンカー側フックと、同形状であるが図一の５は右外側に向く、斜体であり、その下は、３ミリ伸びて、前記図一の２同様、１２０度の角度である、又１２ミリ、アンカーボルト受け部の形状は、図一のＧ、１０ミリ鉄筋に１２ミリ、アンカーボルトを、押し当てた状態の、ボルトの中心から、やや背後に近い位置であり、締め付けたアンカーボルトが、左右に移動する事を防ぐ為を、必要とする、曲がりである、以下が、１２ミリ、アンカーボルトを、締め付けるまでの手段、を特徴とする、アンカーボルト締め付け具。
【考案の詳細な説明】
【技術分野】
【０００１】  本考案は住宅基礎の鉄筋にアンカーボルトを締め付けること、に関するものである。
【背景技術】
【０００２】  従来の締め付け具は、アンカーボルト又は鉄筋の太さに合わせ、分割されている。
【考案の開示】
【考案が解決しようとする課題】
【０００３】  類以した、多種の締め付け具が、混合すると、種分けする事が大変であり、不便である。
【課題を解決するための手段】
【０００４】  類以した、多種の締め付け具を、ひとつにまとめ、混合をなくす。
【考案の効果】
【０００５】  一種類に、まとまり、混合することもなく、管理も簡単である。
考案を実施するための最良の形態【０００６】  図面にもとずいて説明する、まず、使用される資材に付いて述べる、図一のＡ、鉄筋１０ミリ、図一のＣ、鉄筋１３ミリ、図一のＧ、アンカーボルト１２ミリ、図一のＨ、アンカーボルト１６ミリである、
太さ１．４ミリ前後の金属棒を、図一のＨ、アンカーボルト１６ミリ、の、円周下部から２２５°の角度となる形で、その先端を下面とし、図一の１、１６ミリ、アンカー側フックである、残る一方を下向き約７ミリ伸ばし、約１２０°で、右曲がり、図一の２フック下の角である、したがってフックは左前向きの斜体である、さらに、図一の３、１６ミリ、アンカーボルト受け部である、その形状は、図一のＥ１０ミリ鉄筋に１６ミリ、アンカーボルトを押し当てた状態、で図２に示す１０ミリ鉄筋にフックを掛けて使用した状態の曲がりで、本考案の巾、約７センチのうち、４．５センチの位置で、前記図一の１、５の両フックの円形の中心の位置であり、図一のＡ、１０ミリ鉄筋の上に重なる角度でもある、が、アンカーボルトを締め付けるまでの、手段である、でわ１２ミリ、アンカーボルトの締め付け側の説明をする、図一の５、１２ミリ、アンカー側フックは、図一の１、１６ミリ、アンカー側フックと、同形状であるが図一の５は右外側に向く、斜体であり、その下は、３ミリ伸びて、前記図一の２同様、１２０度の角度である、又１２ミリ、アンカーボルト受け部の形状は、図一のＧ、１０ミリ鉄筋に１２ミリ、アンカーボルトを、押し当てた状態の、ボルトの中心から、やや背後に近い位置であり、締め付けたアンカーボルトが、左右に移動する事を防ぐ為を、必要とする、曲がりである、以下が、１２ミリ、アンカーボルトを、締め付けるまでの手段であり、でわ、アンカーボルトの締め付け方法を説明する、図一の１、１６ミリ側フックで、図一のＥ、Ｆ１６ミリ、アンカーボルトを固定する時は、図一の５、１２ミリ、アンカー側フックを図一のＡ、１０ミリ鉄筋に絞って掛ける、以下が、実施する為の最良の形態である。
【図面の簡単な説明】
【０００７】
【図１】全体を示す詳細図。
【図２】１０ミリ鉄筋にフックを掛けて使用した詳細図。
【図３】１３ミリ鉄筋にフックを掛けて使用した詳細図。
【図４】Ｂ、Ｄのアンカーボルトにフックを掛けて使用した詳細図。
【符号の説明】
【０００８】１      １６ミリ、アンカー側フック。
２      フック下の角。
３      １６ミリ、アンカーボルト受け部。
４      １２ミリ、アンカーボルト受け部。
５      １２ミリ、アンカー側フック。
Ａ      １０ミリ鉄筋。
Ｂ      １６ミリ、アンカーボルト。
Ｃ      １３ミリ鉄筋。
Ｄ      １２ミリ、アンカーボルト
Ｅ      １０ミリ鉄筋に１６ミリ、アンカーボルトを押し当てた状態。
Ｆ      １３ミリ鉄筋に１６ミリ、アンカーボルトを押し当てた状態。
Ｇ      １０ミリ鉄筋に１２ミリ、アンカーボルトを押し当てた状態。
Ｈ      １３ミリ鉄筋に１２ミリ、アンカーボルトを押し当てた状態。
【図１】
0003166652.tif 000003
【図２】
0003166652.tif 000004
【図３】
0003166652.tif 000005
【図４】
0003166652.tif 000006
【手続補正書】
【提出日】平成22年12月14日(2010.12.14)
【手続補正１】
【補正対象書類名】実用新案登録請求の範囲
【補正対象項目名】請求項１
【補正方法】変更
【補正の内容】
【請求項１】
太さ１．４ミリ前後で鋼鉄化された金属棒の両端の双方に、横鉄筋１６ミリの上部から押し下げて引っかかる太さのフックを備え、双方のフック手前の中間部より一方のフックに約７ミリ、対する側のフックに約３ミリの長さで双方が水平かつ平行に近い形で前後のはばが調整され、双方７ミリと３ミリの先行と角度は双方とも約１２０度の角度で、双方のフックが向かい合う方向で長さは約３５ミリで双方のフックを引っ掛けた横鉄筋の中間上部に向き、ゆるやかな曲がりで双方の先端がへの字に近い形で連結され、ゆるやかな曲がりは、一方のフックを横鉄筋１０ミリ〜１６ミリの太さに引っかけ、７ミリの調整側ゆるやかな曲がり部分に１６ミリのアンカーボルトを押し当てた時に３ミリ調整側のフックが横鉄筋に締め付けて引っかける事が可能な間隔であり、３ミリ調整側のゆるやかな曲がりに１２ミリのアンカーボルトを押し当てた時も７ミリ調整側のフックも同様の間隔であり、１２ミリと１６ミリのアンカーボルトをしめつける、を特徴とするアンカーボルト締め付け具。